(57)【要約】【課題】収容部が膨張したとしても、カバー部が破損してしまうことを防止することが可能な酸素シェルターを提供する。【解決手段】本発明における酸素シェルター１は、柱部１２に設けられた溝部１４の幅（Ｗ）が、壁部１７の厚み（Ｄ）よりも大きくなっているので、溝部１４に壁部１７を嵌装すると、隙間Ｇが生じることとなる。そして、この隙間Ｇが、収容部２の膨張を吸収する。これにより、収容部２が膨張したとしても、カバー部１０が破損してしまうことを防止することが可能な酸素シェルター１を提供することができる。【選択図】図３
2020081421.tif 000002
【特許請求の範囲】
【請求項１】
利用者を内部に収容可能な金属製の収容部と、
前記収容部に形成された開口部と、
前記開口部を開放及び閉塞可能な扉部と、
前記収容部の内部の気圧を制御する気圧制御部と、
を備えた酸素シェルターにおいて、
前記収容部の外側に取り付けられるカバー部をさらに備え、
前記カバー部は、
前記収容部に取り付けられる柱部と、
前記柱部に取り付けられる壁部と、
前記収容部の膨張を吸収するための吸収部と、
を備えていることを特徴とする酸素シェルター。
【請求項２】
前記柱部は、
前記壁部が嵌装され、前記壁部の厚みよりも大きな幅を有する溝部を備えており、
前記吸収部は、
前記壁部が前記溝部に嵌装されることにより生じる隙間であることを特徴とする請求項１に記載の酸素シェルター。
【発明の詳細な説明】
【技術分野】
【０００１】
本発明は、酸素シェルターに関するものである。
【背景技術】
【０００２】
従来では、利用者を収容する収容部の内部の気圧を標準気圧以上に加圧する酸素ルームにシェルター機能を備えた酸素シェルターが知られている（例えば、特許文献１）。このような酸素シェルターは、収容部が金属製となっているので、例えば、地震等の有事の際に、収容部の内部にいる利用者の身を守ることができる。
【０００３】
一方で、有事の際以外には、内部の気圧を標準気圧以上に加圧する酸素ルームとして利用することができるので、酸素シェルターを屋内に設置したとしても、屋内のスペースを無駄にしてしまうという事態を防止することができる。
【先行技術文献】
【特許文献】
【０００４】
【特許文献１】実用新案登録３２１４０３６号
【発明の概要】
【発明が解決しようとする課題】
【０００５】
このような酸素シェルターは、収容部の保護や、デザインの変更を目的としてカバー部を取り付けることが考えられる。しかしながら、酸素シェルターは、収容部の内部の気圧が高くなると、収容部が膨張することとなる。そうすると、カバー部を取り付けたとしても、取り付けたカバー部が取れてしまう虞や、カバー部が破損してしまう虞がある。このため、収容部が膨張したとしても、カバー部が破損してしまうことを防止することが可能な酸素シェルターが望まれていた。
【０００６】
本発明は、このような問題点に鑑み、収容部が膨張したとしても、カバー部が破損してしまうことを防止することが可能な酸素シェルターを提供することを目的とする。
【課題を解決するための手段】
【０００７】
このような課題を解決するために、本発明に係る酸素シェルターは、利用者を内部に収容可能な金属製の収容部と、前記収容部に形成された開口部と、前記開口部を開放及び閉塞可能な扉部と、前記収容部の内部の気圧を制御する気圧制御部と、を備えた酸素シェルターにおいて、前記収容部の外側に取り付けられるカバー部をさらに備え、前記カバー部は、前記収容部に取り付けられる柱部と、前記柱部に取り付けられる壁部と、前記収容部の膨張を吸収するための吸収部と、を備えていることを特徴とする。
【０００８】
また、本発明に係る酸素シェルターにおいて、前記柱部は、前記壁部が嵌装され、前記壁部の厚みよりも大きな幅を有する溝部を備えており、前記吸収部は、前記壁部が前記溝部に嵌装されることにより生じる隙間であることを特徴とする。
【発明の効果】
【０００９】
本発明によれば、収容部が膨張したとしても、カバー部が破損してしまうことを防止することが可能な酸素シェルターを提供することができる。
【図面の簡単な説明】
【００１０】
【図１】酸素シェルターの外観斜視図の一例を示す図である。
【図２】収容部の外観斜視図の一例を示す図である。
【図３】カバー部を取り付けた酸素シェルターの外観斜視図の一例を示す図である。
【図４】カバー部の拡大図の一例を示す図である。
【図５】酸素シェルターの利用時におけるカバー部の態様の一例を示す図である。
【図６】カバー部の取付方法の一例を示す図である。
【発明を実施するための形態】
【００１１】
以下、本発明の実施形態について図面を参照しながら具体的に説明する。
【００１２】
（第１実施形態）
図１〜図５を用いて、本発明における第１実施形態について説明を行う。
【００１３】
（酸素シェルター１の外観斜視図）
まず、図１を用いて、本発明における酸素シェルター１の構成について具体的に説明を行う。なお、図１は、開口部３が開放された状態の酸素シェルター１の外観を示す図である。
【００１４】
（酸素シェルター１）
本発明における酸素シェルター１は、収容部２と、気圧制御ユニット６と、濃縮酸素装置７により構成される。
【００１５】
（収容部２）
収容部２は、図２に示す通り、収容部２の底面に設けられている板状の底面板２ａと、収容部２の正面視左側面に設けられている板状の左側面板２ｂと、収容部２の正面視右側面に設けられている板状の右側面板２ｃと、収容部２の正面側に設けられている板状の正面板２ｄと、収容部２の背面側に設けられている板状の背面板２ｅと、収容部２の天井側に設けられている板状の天井板２ｆとにより構成されており、溶接、ビス止め等により結合されることで箱形状に形成されている。また、収容部２は、酸素シェルター１を利用する利用者を収容可能な空間を内部に有している。
【００１６】
また、収容部２の材質は、強度に優れた金属製（例えば、鋼、鉄）となっている。これにより、収容部２の耐重圧性、耐衝撃性が向上するので、収容部２の内部にいる利用者の安全性が向上する。なお、収容部２の材質は、強度に優れた材質であればどのような材質であってもよい。
【００１７】
ここで、本実施形態において、天井板２ｆには、天井板２ｆを補強するための金属製の天井板補強柱が格子状に設けられている。これにより、例えば、地震等で鉄筋や鉄骨構造物が上方から衝突した際であっても、鉄筋や鉄骨構造物が天井板２ｆに衝突する前に、天井板補強柱に衝突することとなるので、酸素シェルター１の安全性が向上する。なお、天井板補強柱は、溶接、ビス止め等により天井板２ｆと結合される。
【００１８】
同様に、正面板２ｄには、正面板２ｄを補強するための金属製の正面板補強柱が格子状に設けられており、底面板２ａには、底面板２ａを補強するための金属製の底面板補強柱が格子状に設けられている。
【００１９】
また、本実施形態において、右側面板２ｃには、右側面板２ｃを補強するための金属製の右側面板補強柱が設けられている。これにより、例えば、地震等で鉄筋や鉄骨構造物が右側から衝突した際であっても、鉄筋や鉄骨構造物が右側面板２ｃに衝突する前に、右側面板補強柱に衝突することとなるので、酸素シェルター１の安全性が向上する。なお、右側面板補強柱は、溶接、ビス止め等により右側面板２ｃと結合される。
【００２０】
同様に、左側面板２ｂには、左側面板２ｂを補強するための金属製の左側面板補強柱が設けられており、背面板２ｅには、背面板２ｅを補強するための金属製の背面板補強柱が設けられている。
【００２１】
なお、天井板補強柱、正面板補強柱、底面板補強柱、右側面板補強柱、左側面板補強柱、及び背面板補強柱を総称して「補強柱」という。
【００２２】
ここで、本実施形態において、収容部２は、奥行き（Ｄ）が１２０ｃｍ、幅（Ｗ）が２６０ｃｍ、高さ（Ｈ）が１５０ｃｍ程度の大きさとなっており、酸素シェルター１の利用者を複数人収容可能となっているが、収容部２の大きさは、少なくとも１人の利用者を収容可能な大きさであればどのような大きさであってもよい。なお、収容部２の内部には、気圧制御ユニット６に設けられている後述の受話器６ｂと通話可能な受話器（図示せず）が設けられている。
【００２３】
（開口部３）
開口部３は、収容部２の正面板２ｄに設けられており、酸素シェルター１の利用者が収容部２の内部に出入り可能な大きさにより形成されている。ここで、開口部３の大きさは、利用者が出入り可能な大きさであれば、どのような大きさであってもよい。また、開口部３が設けられる位置は、正面板２ｄではなく、他の位置に設けられていてもよい。例えば、開口部が左側面板２ｂや、右側面板２ｃ、背面板２ｅ、天井板２ｆに設けられていてもよい。
【００２４】
（扉部４）
扉部４は、収容部２の正面板２ｄに設けられており、開口部３を開放、及び閉塞可能に設けられている。ここで、扉部４の大きさは、開口部３を閉塞可能な大きさであれば、どのような大きさであってもよい。また、扉部４が設けられる位置は、開口部３が設けられている位置に合わせて、別の位置に設けられていてもよい。なお、本実施形態において、扉部４は、開き戸となっているが、これに限定されることはなく、例えば、引き戸や、折れ戸であってもよい。
【００２５】
（窓部５）
窓部５は、収容部２の正面板２ｄに設けられており、収容部２の外部から収容部２の内部を視認可能とするために設けられている。また、窓部５を設けることにより、収容部２の内部にいる利用者の閉塞感を軽減することができる。ここで、窓部５は、正面板２ｄ以外の位置（例えば、左側面板２ｂ、右側面板２ｃ、背面板２ｅ）に設けられていてもよく、複数設けられていてもよい。なお、窓部５の大きさは、どのような大きさであってもよい。
【００２６】
（気圧制御ユニット６）
気圧制御ユニット６は、収容部２や、濃縮酸素装置７と接続されており、収容部２の内部の気圧を制御するために設けられている。また、気圧制御ユニット６は、気圧制御ユニット６に電力を供給するための気圧制御ユニット用電源ボタン６ａと、収容部２の内部にいる利用者と通話可能な受話器６ｂと、収容部２の内部の気圧を制御するための操作を検出する制御パネル６ｃを有している。
【００２７】
（濃縮酸素装置７）
濃縮酸素装置７は、気圧制御ユニット６と接続されており、濃縮酸素装置７に電力を供給するための濃縮酸素装置用電源ボタン７ａと、濃縮酸素装置７の内部に設けられており、空気中の窒素、及び二酸化炭素を取り除くためのゼオライト（図示せず）を有している。
【００２８】
（酸素シェルター１の利用方法）
ここで、酸素シェルター１の利用方法について説明を行う。まず、気圧制御ユニット用電源ボタン６ａと、濃縮酸素装置用電源ボタン７ａを操作することにより、気圧制御ユニット６と、濃縮酸素装置７の電源をＯＮにする。次に、制御パネル６ｃを操作することにより、気圧制御ユニット６から濃縮酸素装置７に対して収容部２の内部の気圧を制御する制御信号が送信されることとなる。また、濃縮酸素装置７は、外気を取り込み、この取り込んだ外気から、ゼオライトにより窒素、及び二酸化炭素を取り除くことにより、濃度の濃い酸素を精製し、濃度の濃い酸素を気圧制御ユニット６に供給する。そして、気圧制御ユニット６は、濃縮酸素装置７から供給された濃度の濃い酸素を、収容部２の内部に供給する処理を行う。これらにより、収容部２の内部の気圧が制御されることとなる。なお、この後、利用者は、扉部４を開いて収容部２の内部に入り、扉部４を閉めることで酸素シェルター１を利用することとなる。
【００２９】
（外側酸素排出弁８）
外側酸素排出弁８は、正面板２ｄに設けられており、収容部２の内部の酸素を排出するために設けられている。ここで、収容部２の外側から外側酸素排出弁８を操作することにより、収容部２の内部の酸素を排出することができる。
【００３０】
（内側酸素排出弁９）
内側酸素排出弁９は、正面板２ｄに設けられており、外側酸素排出弁８と同様に、収容部２の内部の酸素を排出するために設けられている。ここで、利用者は、収容部２の内部から内側酸素排出弁９を操作することにより、収容部２の内部の酸素を排出することができる。
【００３１】
（カバー部１０を取り付けた酸素シェルター１）
次に図３を用いて、本発明におけるカバー部１０を取り付けた酸素シェルター１について説明を行う。
【００３２】
（カバー部１０）
カバー部１０は、酸素シェルター１のデザインを変更するために設けられている。ここで、カバー部１０は、柱部１２と、壁部１７により構成されている。
【００３３】
（柱部１２）
柱部１２は、本体部１３と、この本体部１３に設けられ、壁部１７を嵌装するための溝部１４と、本体部１３に設けられ、収容部２の補強柱に取り付けるためのビス穴１５とが設けられている。
【００３４】
（壁部１７）
壁部１７は、酸素シェルター１のデザインを変更するために設けられている。ここで、壁部１７には、所定の色が着色されている。なお、本実施形態において、壁部１７の材質は、石膏ボード、べニア、メラミン化粧板、ポリエステル化粧板、金属等を適用することができるが、これに限定されることはなく、どのような材質を適用することとしてもよい。
【００３５】
（カバー部１０の拡大図）
次に図４を用いて、本発明におけるカバー部１０の拡大図について説明を行う。なお、図４（Ａ）は、カバー部１０の拡大図である。また、図４（Ｂ）は、カバー部１０の断面拡大図である。
【００３６】
図４（Ａ）や、図４（Ｂ）に示す通り、柱部１２は、本体部１３に設けられたビス穴１５にビス１６が挿通され、収容部２の補強柱に取り付けられている。そして、壁部１７は、柱部１２に設けられた溝部１４に嵌装されている。
【００３７】
次に、図４（Ｂ）に示す通り、柱部１２に設けられた溝部１４の幅（Ｗ）は、壁部１７の厚み（Ｄ）よりも大きい。このため、溝部１４に壁部１７を嵌装すると、隙間Ｇ１と、隙間Ｇ２とからなる隙間Ｇが生じることとなる。
【００３８】
また、本実施形態においては、柱部１２と、溝部１４との間には、隙間Ｇ３が生じることとなる。そして、具体的には、図５を用いて詳述するが、この隙間Ｇ１、隙間Ｇ２、及び隙間Ｇ３により、収容部２の膨張を吸収することができる。
【００３９】
（酸素シェルター１の利用時におけるカバー部１０の態様）
次に、図５を用いて、酸素シェルター１の利用時におけるカバー部１０の態様について説明を行う。
【００４０】
本実施形態において、気圧制御ユニット６は、濃縮酸素装置７が精製した濃度の濃い酸素を収容部２の内部に供給することとなる。そうすると、収容部２の内部の気圧が高くなるため、収容部２が膨張することとなる。
【００４１】
このため、収容部２に対して、単に壁部１７を取り付けた場合には、収容部２が膨張することにより壁部１７が押圧されることとなる。そうすると、取り付けた壁部１７が取れてしまうおそれや、壁部１７が破損してしまうおそれがある。
【００４２】
これに対して、本実施形態における酸素シェルター１は、図４に示す通り、柱部１２に設けられた溝部１４の幅（Ｗ）が、壁部１７の厚み（Ｄ）よりも大きくなっているので、溝部１４に壁部１７を嵌装すると、隙間Ｇが生じることとなる。そして、この隙間Ｇにより、収容部２の膨張を吸収することができるので、カバー部１０が破損してしまうことを防止することができる。
【００４３】
なお、本実施形態においては、溝部１４の幅（Ｗ）から壁部１７の厚み（Ｄ）を減算した分の隙間Ｇにより、収容部２の膨張を吸収することとしているが、これに限定されることはなく、収容部２の膨張を吸収することができれば、どのような態様であってもよい。例えば、カバー部１０の素材を吸収素材により構成することにより、収容部２の膨張を吸収することとしてもよい。
【００４４】
（カバー部１０の取付方法）
次に、図６を用いて、カバー部１０の取付方法について説明を行う。
【００４５】
まず、図６（Ａ）に示す通り、収容部２の補強柱に対して取付穴１１を穿設することとなる。ここで、取付穴１１は、柱部１２を取り付ける際に、ビス穴１５と重なる位置に穿設されることとなる。
【００４６】
次に、図６（Ｂ）に示す通り、収容部２の補強柱に対して柱部１２を取り付けることとなる。具体的には、取付穴１１と、ビス穴１５との位置合わせを行い、ビス１６を挿通することにより、補強柱に対して柱部１２を取り付けることとなる。
【００４７】
次に、図６（Ｃ）に示す通り、柱部１２に対して壁部１７を取り付けることとなる。具体的には、柱部１２の溝部１４に沿って、壁部１７を上方から嵌装することにより取り付けることとなる。
【００４８】
次に、図６（Ｄ）に示す通り、柱部１２に対して壁部１７を取り付けた後、天井板２ｆに対して壁部１７を取り付けることとなる。
【００４９】
（その他の実施形態）
以下にその他の実施形態について説明を行う。
【００５０】
本実施形態では、図３に示す通り、壁部１７は、扉部４に対応する開口部と、外側酸素排出弁８や、内側酸素排出弁９に対応する開口部と、気圧制御ユニット６や、濃縮酸素装置７と接続するコネクタを挿入する挿入口に対応する開口部とが設けられているが、これらに限定されることはなく、例えば、窓部５に対応する開口部が設けられていてもよい。
【００５１】
また、本実施形態において、柱部１２と、補強柱とは、取付穴１１と、ビス穴１５に対してビス１６を挿通することにより取り付けられるが、これに限定されることはない。例えば、溶接により取り付けられてもよい。
【００５２】
また、本実施形態において、壁部１７は、溝部１４に嵌装することにより取り付けられるが、これに限定されることはない。例えば、柱部１２に対してビス止めすることにより取り付けられてもよい。
【００５３】
このように、本発明によれば、柱部１２に設けられた溝部１４の幅（Ｗ）が、壁部１７の厚み（Ｄ）よりも大きくなっているので、溝部１４に壁部１７を嵌装すると、隙間Ｇが生じることとなる。そして、この隙間Ｇが、収容部２の膨張を吸収することにより、カバー部１０が破損してしまうことを防止することが可能な酸素シェルター１を提供することができる。
【００５４】
なお、本実施形態において、「収容部２」は、本発明の「収容部」を構成する。
【００５５】
また、本実施形態において、「開口部３」は、本発明の「開口部」を構成する。
【００５６】
また、本実施形態において、「扉部４」は、本発明の「扉部」を構成する。
【００５７】
また、本実施形態において、「気圧制御ユニット６」は、本発明の「気圧制御部」を構成する。
【００５８】
また、本実施形態において、「カバー部１０」は、本発明の「カバー部」を構成する。
【００５９】
また、本実施形態において、「柱部１２」は、本発明の「柱部」を構成する。
【００６０】
また、本実施形態において、「壁部１７」は、本発明の「壁部」を構成する。
【００６１】
また、本実施形態において、「隙間Ｇ」は、本発明の「吸収部」を構成する。
【００６２】
なお、本実施形態において、「溝部１４」は、本発明の「溝部」を構成する。
【００６３】
なお、本発明の実施について図面を用いて説明したが、具体的な構成はこれらの実施形態に限られるものではなく、本発明の要旨を逸脱しない範囲の設計変更等があっても本発明に含まれる。また、各図面で示した実施形態は、その目的及び構成等に矛盾や問題がない限り、互いの記載内容を組み合わせることが可能である。また、各図面の記載内容はそれぞれ独立した実施形態になり得るものであり、本発明の実施形態は各図面を組み合わせた一つの実施形態に限定されるものではない。
【符号の説明】
【００６４】
１      酸素シェルター
２      収容部
２ａ    底面板
２ｂ    左側面板
２ｃ    右側面板
２ｄ    正面板
２ｅ    背面板
２ｆ    天井板
３      開口部
４      扉部
５      窓部
６      気圧制御ユニット
６ａ    気圧制御ユニット用電源ボタン
６ｂ    受話器
６ｃ    制御パネル
７      濃縮酸素装置
７ａ    濃縮酸素装置用電源ボタン
８      外側酸素排出弁
９      内側酸素排出弁
１０    カバー部
１１    取付穴
１２    柱部
１３    本体部
１４    溝部
１５    ビス穴
１６    ビス
１７    壁部
Ｇ      隙間
【図１】
2020081421.tif 000003
【図２】
2020081421.tif 000004
【図３】
2020081421.tif 000005
【図４】
2020081421.tif 000006
【図５】
2020081421.tif 000007
【図６】
2020081421.tif 000008
【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
利用者を内部に収容可能な金属製の収容部と、
前記収容部に形成された開口部と、
前記開口部を開放及び閉塞可能な扉部と、
前記収容部の内部の気圧を制御する気圧制御部と、
を備えた酸素シェルターにおいて、
前記収容部の外側に取り付けられるカバー部をさらに備え、
前記収容部は、
前記気圧制御部のコネクタが挿入される挿入口を備えており、
前記カバー部は、
前記収容部に取り付けられる柱部と、
前記柱部に取り付けられる壁部と、
前記収容部の膨張を吸収するための吸収部と、
を備えており、
前記壁部は、
前記扉部に対応する第１開口部と、
前記挿入口に対応する第２開口部と、
を備えていることを特徴とする酸素シェルター。
【請求項２】
前記柱部は、
前記壁部が嵌装され、前記壁部の厚みよりも大きな幅を有する溝部を備えており、
前記吸収部は、
前記壁部が前記溝部に嵌装されることにより生じる隙間であることを特徴とする請求項１に記載の酸素シェルター。
【手続補正２】
【補正対象書類名】明細書
【補正対象項目名】０００７
【補正方法】変更
【補正の内容】
【０００７】
このような課題を解決するために、本発明に係る酸素シェルターは、利用者を内部に収容可能な金属製の収容部と、前記収容部に形成された開口部と、前記開口部を開放及び閉塞可能な扉部と、前記収容部の内部の気圧を制御する気圧制御部と、を備えた酸素シェルターにおいて、前記収容部の外側に取り付けられるカバー部をさらに備え、前記収容部は、前記気圧制御部のコネクタが挿入される挿入口を備えており、前記カバー部は、前記収容部に取り付けられる柱部と、前記柱部に取り付けられる壁部と、前記収容部の膨張を吸収するための吸収部と、を備えており、前記壁部は、前記扉部に対応する第１開口部と、前記挿入口に対応する第２開口部と、を備えていることを特徴とする。